(57)【要約】      （修正有）【課題】飲みやすく且つ外観がすっきりしたペットボトルホルダを提供する。【解決手段】ペットボトルホルダ１を、ペットボトル１００を収納可能な大きさの筒状の胴部１０と、胴部１０の上面に設けられペットボトルの首１０１が嵌通する開口部１１Ａを有する上面シート１１と、胴部１０の底面に設けられ底面を開閉可能であり、且つ閉じた状態で胴部１０に係止可能な蓋体１２とで構成する。これにより、ペットボトルの首１０１すなわち飲み口側に巾着の紐のようなものがないため、ペットボトル１から直接飲用しやすく外観もすっきりしている。【選択図】図１
2013071743.tif 000002
【特許請求の範囲】
【請求項１】
ペットボトルを収納可能な大きさの筒状の胴部と、
前記胴部の上面に設けられ、前記ペットボトルの首が嵌通する開口部を有する上面シートと、
前記胴部の底面に設けられ、前記底面を開閉可能であり、且つ閉じた状態で前記胴部に係止可能な蓋体と、
を有するペットボトルホルダ。
【発明の詳細な説明】
【技術分野】
【０００１】
飲料ペットボトルを収納する携帯用のペットボトルホルダに関する。
【背景技術】
【０００２】
現在、お茶や水などの飲料が、５００ミリリットル程度の携帯可能な大きさのペットボトルで販売されており、ユーザは、このペットボトルをそのまま水筒代わりに携帯することが増えている。
【０００３】
このようなペットボトルの利用形態において、飲料の冷たさ（または温かさ）を保温できるように、また、冷温による水滴が手などにつかないように、ペットボトルをペットボトルホルダに収納して携帯することが行われている。
【０００４】
ペットボトルを収納するペットボトルホルダとしては、たとえば特許文献１、２のようなものがある。これら文献のペットボトルホルダは、巾着袋状で上部の開口部からペットボトルを袋内に収納し、上部の飲み口付近を巾着で締めて使うものである。
【先行技術文献】
【特許文献】
【０００５】
【特許文献１】実用新案登録第３０９１６６３号公報
【０００６】
【特許文献２】特開２００４−２６２５５５号公報
【発明の概要】
【発明が解決しようとする課題】
【０００７】
一般的にユーザは、ペットボトルの飲み口から飲料を直接飲用するが、上記特許文献のペットボトルホルダでは、飲み口側に巾着の口があるため、飲むときに締め紐が飲み口周辺に垂れてきて飲みにくい場合が多かった。また、巾着ではペットボトルの飲み口（または肩）の径まできっちりと締めることが難しいため、飲むときペットボトルホルダを斜め下に向けたとき、中でペットボトルが移動してやはり飲みにくい場合が多かった。
【０００８】
この発明は、飲みやすく且つ外観がすっきりしたペットボトルホルダを提供することを目的とする。
【課題を解決するための手段】
【０００９】
この発明は、ペットボトルを収納可能な大きさの筒状の胴部と、前記胴部の上面に設けられ、前記ペットボトルの首が嵌通する開口部を有する上面シートと、前記胴部の底面に設けられ、前記底面を開閉可能であり、且つ、閉じた状態で前記胴部に係止可能な蓋体と、を有する。
【発明の効果】
【００１０】
この発明によれば、ペットボトルの首すなわち飲み口側に巾着の紐のようなものがないため、ペットボトルから直接飲用しやすく、外観もすっきりしている。
【図面の簡単な説明】
【００１１】
【図１】この発明の実施形態であるペットボトルホルダの外観図
【発明を実施するための形態】
【００１２】
図面を参照してこの発明の実施形態について説明する。
【００１３】
図１は、この発明の実施形態である。ペットボトルホルダ１の外観図である。このペットボトルホルダ１は、断熱シートを裏張りした布地（キルティングなど）を用いて縫製により成形されている。主として５００ミリリットルのペットボトル１００を収容するものであるため、内径は６．５〜７ｃｍ、高さは１７〜１８ｃｍになっている。内径はペットボトル１００の外径に合わせた寸法であり、高さは、ペットボトル１００の底から首１０１までの高さに合わせたものである。
【００１４】
ペットボトルホルダ１は、筒状の胴部１０、胴部１０の上面に設けられた上面シート１１、および、胴部１０の底面開口部１０Ａに設けられた蓋体１２を有している。
【００１５】
上面シート１１は、胴部１０の径と同じ直径を有する円板状のシートであり、その中央部に円形の開口部１１Ａが形成されている。開口部１１Ａの大きさは、キャップ１０２をされたペットボトル１００の首１０１が嵌通する程度の大きさであり、直径４ｃｍ程度の円形の開口部とするのが好適である。
【００１６】
蓋体１２は、胴部１０の径と同じ直径を有する円板状のシートであり、全周にわたって胴部側に立ち上がったフランジ１２Ａを有している。蓋体１２のフランジ１２Ａの縁および胴部１１の下端にファスナー１３が設けられ、蓋体１２は、胴部１０に対して開閉自在になっている。なお、フランジ１２Ａの一部１２Ｂが直上の胴部１０に連結されているため、ファスナー１３を全開にしても、蓋体１２は胴部１０から脱落しない。
【００１７】
このような形状のペットボトルホルダ１において、まずファスナー１３を解除して蓋体１２を下ろし、胴部１０の底面開口部１０Ａを開放する。そして、ペットボトル１００に被せるように、底面開口部１０Ａから挿入する。そして、首１０１を開口部１０Ａから出す。こののち、蓋体１２を閉じ、ファスナー１３を締めることでペットボトル１００がペットボトルホルダ１に収納される。
【００１８】
ペットボトルホルダ１（胴部１０）の内径、高さが、ほぼペットボトル１００の寸法に一致しているため、ペットボトル１００がペットボトルホルダ１の中で動くことなくきっちり収納される。ユーザは、ペットボトル１０１のキャップ１０２を外して飲み口から直接飲用すればよい。そのとき飲み口付近に「巾着の紐」などが垂れてくることがなく、飲みやすい。
【００１９】
さらに、このペットボトルホルダ１には、ストラップ１５が設けられている。ストラップ１５は、胴部１０側面の上端の係止部１０Ｂおよび下端の係止部１０Ｃに両端を係止されたベルト状のものである。ストラップ１５の長さは、図示のものは、手に持ってさげたり、キャリーバックのキャリーバーに通して持ち運ぶ程度の長さであるが、肩掛け可能な長さのもの、長さの調節可能なのものであってもよい。
【００２０】
なお、上記実施形態において、上面シート１１は平面であるが、テーパー（円錐台形状）にしてもよい。また、蓋体１２の胴部１０に対する固定手段はファスナー１３に限定されない。
【００２１】
また、ペットボトルホルダ１の各部の寸法（内径、高さ、開口部の直径など）は、上記に限定されない。収容するペットボトル１００のサイズに合わせて適宜変更すればよい。たとえば、２８０〜３５０ミリリットルの小型のペットボトルを収容する場合には、高さを１０ｃｍ程度にすればよい。また、平面形状（上面シート１１の形状）も円形に限定されない。角形のペットボトルを収容する場合には、平面形状が四角いものとしてもよい。
【符号の説明】
【００２２】
１  ペットボトルホルダ
１０  胴部
１０Ａ  底面開口部
１０Ｂ，１０Ｃ  （ストラップの）係止部
１１  上面シート
１１Ａ  上面開口部
１２  蓋体
１２Ａ  フランジ
１３  ファスナー
１５  ストラップ
１００  ペットボトル
１０１  （ペットボトルの）首
１０２  （ペットボトルの）キャップ
【図１】
2013071743.tif 000003